(57)【要約】  【課題】  携帯電話向けのコンテンツとその他のＰＣ向けのコンテンツ等の双方のコンテンツで提供される非接触ＩＣカード使用サービスを容易に利用可能にする。  【解決手段】  外部インターフェース部２０に接続されたパーソナルコンピュータ３１は、制御部１１に非接触ＩＣカード２９へのアクセス要求コマンドを送信する。制御部１１は、アクセス要求コマンドによって非接触ＩＣカードリーダ／ライタ部２５を起動し、非接触ＩＣカード２９とデータ送受信可能にする。パーソナルコンピュータ３１からは、インターネット３２を介した一般用コンテンツ３５や、無線部１５、無線ネットワーク３０及び携帯電話ネットワーク３３を介した携帯電話用コンテンツ３４にアクセスし、非接触ＩＣカード２９との間でデータ通信を行って非接触ＩＣカード２９に対して課金情報等のデータの書き込み、読み出しを行うことで、決済処理等を実行する。【選択図】  図２
2005086321.tif 000002
【特許請求の範囲】
【請求項１】
外部の媒体との間で非接触通信を行う非接触通信部を備えた携帯通信装置であって、
前記外部の媒体に設けられる非接触通信データ記憶手段に対して非接触通信によりデータの読み出し、書き込みを行う非接触通信データ読み書き手段と、
無線ネットワークとの間で無線通信によりデータの送受信を行う無線通信手段と、
外部装置と接続可能であり、前記外部装置との間で有線通信によりデータの送受信を行う外部インターフェース手段と、
前記無線通信手段を介して前記無線ネットワークに接続している状態で、前記非接触通信データ読み書き手段を介して前記外部の非接触通信データ記憶手段と前記無線ネットワークとの間でデータの送受信を行い、かつ、前記外部インターフェース手段を介して外部装置と接続している状態で、前記非接触通信データ読み書き手段を介して前記外部の非接触通信データ記憶手段と前記外部装置との間でデータの送受信を行う制御手段と
を備える携帯通信装置。
【請求項２】
請求項１に記載の携帯通信装置であって、
前記制御手段は、前記外部装置から前記外部インターフェース手段を介して前記外部の非接触通信データ記憶手段へのアクセス要求を受信した場合に、前記非接触通信データ読み書き手段を起動し、前記外部の非接触通信データ記憶手段に対するデータの読み出し、書き込みが可能な状態とする携帯通信装置。
【請求項３】
請求項１に記載の携帯通信装置であって、
前記外部インターフェース手段は、接続される前記外部装置と前記無線通信手段との間の通信を行う第１のインターフェース手段と、前記外部装置と前記非接触通信データ読み書き手段との間の通信を行う第２のインターフェース手段とを備え、
前記第１のインターフェース手段及び前記無線通信手段を介して前記外部装置と前記無線ネットワークとの間でデータの送受信を行うと同時に、前記第２のインターフェース手段及び前記非接触通信データ読み書き手段を介して前記外部装置と前記外部の非接触通信データ記憶手段との間でデータの送受信を行う携帯通信装置。
【発明の詳細な説明】
【技術分野】
【０００１】
本発明は、外部の非接触ＩＣカード等の記憶媒体との間で近接型または近距離型の非接触通信を行う非接触通信部を備えた携帯通信装置に関する。
【背景技術】
【０００２】
近年、非接触ＩＣカードに電子マネー、電子チケット、クレジット等の機能を搭載する検討や実証実験等が行われており、実用化されているものもある。このような非接触ＩＣカードの機能を携帯電話装置に搭載することも検討されている。この種の携帯電話装置として、接触型インターフェース及び非接触型インターフェースを有するＩＣカードを搭載した携帯電話機が提案されている（例えば、特許文献１参照）。
【０００３】
また、非接触ＩＣカードに対してデータの読み書きを行う非接触ＩＣカードリーダ／ライタを携帯電話装置に搭載する検討も行われている。例えば、非接触ＩＣカードと接続可能で、この非接触ＩＣカードに対して価値情報などの読み書きを行う携帯電話装置が提案されている（例えば、特許文献２参照）。携帯電話装置に非接触ＩＣカードリーダ／ライタを搭載することにより、非接触ＩＣカードと移動体通信システムの無線ネットワークとの間でデータの送受信を行うことができ、携帯電話装置を無線ネットワークに接続した状態でクレジットや電子マネーの機能を搭載した非接触ＩＣカードと近接させて無線接続すれば、オンラインショッピング等を行うことができる。
【０００４】
一方、パーソナルコンピュータ（ＰＣ）等の端末装置でインターネット等のネットワークに接続してオンラインショッピングにて商品を購入する場合がある。最近では、クレジットカード番号の入力の手間を省くためや電子マネーで商品を購入するために、パーソナルコンピュータに非接触ＩＣカードリーダ／ライタを接続して非接触ＩＣカードとネットワークとの間でデータの送受信を行い、決済処理等を行うことも可能になっている。
【０００５】
上記のように携帯電話装置でも移動体通信システムの無線ネットワークを介してオンラインショッピング等のサービスを利用することが可能であるが、携帯電話装置で利用することができるサービスは、携帯電話用のコンテンツに限られてしまう。一方、パーソナルコンピュータ等でクレジットカード番号を入力することなくオンラインショッピングを行う場合、または電子マネーにてオンラインショッピングを行う場合は、上記のように非接触ＩＣカードリーダ／ライタが必要である。
【０００６】
また、パーソナルコンピュータ等の端末装置では、携帯電話事業者の公式サイト等、携帯電話向けに作られたコンテンツが利用できない場合がある。このため、携帯電話用のコンテンツとパーソナルコンピュータ向けに作られた一般用コンテンツの両方でオンラインショッピングを行うためには、非接触ＩＣカードリーダ／ライタを搭載した携帯電話装置、パーソナルコンピュータ、非接触ＩＣカード、非接触ＩＣカードリーダ／ライタが必要であり、多くの機器を用意しなければならないなど、準備に手間がかかり、容易に利用することができなかった。
【０００７】
【特許文献１】特開２００２−３５１６２３号公報
【特許文献２】特開２０００−２２２４９８号公報
【発明の開示】
【発明が解決しようとする課題】
【０００８】
本発明は、上記事情に鑑みてなされたもので、装置内に搭載した非接触通信データ読み書き手段を介して外部に接続したパーソナルコンピュータ等の端末装置と非接触ＩＣカード等の記憶媒体との間でデータの送受信ができ、携帯電話向けのコンテンツとその他のパーソナルコンピュータ向けのコンテンツ等の多様なコンテンツで提供される非接触ＩＣカード使用サービスを容易に利用することが可能な携帯通信装置を提供することを目的とする。
【課題を解決するための手段】
【０００９】
本発明の携帯通信装置は、外部の媒体との間で非接触通信を行う非接触通信部を備えた携帯通信装置であって、前記外部の媒体に設けられる非接触通信データ記憶手段に対して非接触通信によりデータの読み出し、書き込みを行う非接触通信データ読み書き手段と、無線ネットワークとの間で無線通信によりデータの送受信を行う無線通信手段と、外部装置と接続可能であり、前記外部装置との間で有線通信によりデータの送受信を行う外部インターフェース手段と、前記無線通信手段を介して前記無線ネットワークに接続している状態で、前記非接触通信データ読み書き手段を介して前記外部の非接触通信データ記憶手段と前記無線ネットワークとの間でデータの送受信を行い、かつ、前記外部インターフェース手段を介して外部装置と接続している状態で、前記非接触通信データ読み書き手段を介して前記外部の非接触通信データ記憶手段と前記外部装置との間でデータの送受信を行う制御手段とを備えるものである。
【００１０】
上記構成により、装置内に搭載した非接触通信データ読み書き手段を介して外部の非接触通信データ記憶手段と無線ネットワークとの間でデータの送受信が可能であるのに加えて、この非接触通信データ記憶手段と外部インターフェース手段に接続した外部装置との間でデータの送受信が可能となる。このため、非接触ＩＣカードリーダ／ライタ等を別に用意するなど、多くの機器を必要とせずに、パーソナルコンピュータ等の外部装置を携帯通信装置に接続し、この外部装置より非接触通信データ読み書き手段を介して非接触ＩＣカード等の非接触通信データ記憶手段に対してデータの読み書きができる。また、携帯電話向けのコンテンツとその他のパーソナルコンピュータ向けのコンテンツ等の多様なコンテンツで提供される非接触ＩＣカード使用サービスを容易に利用することが可能となる。
【００１１】
また、本発明の一態様として、上記の携帯通信装置であって、前記制御手段は、前記外部装置から前記外部インターフェース手段を介して前記外部の非接触通信データ記憶手段へのアクセス要求を受信した場合に、前記非接触通信データ読み書き手段を起動し、前記外部の非接触通信データ記憶手段に対するデータの読み出し、書き込みが可能な状態とするものも含まれる。
【００１２】
上記構成により、外部インターフェース手段に接続した外部装置からアクセス要求を行い、非接触通信データ読み書き手段を介して外部の非接触ＩＣカード等の非接触通信データ記憶手段に対してデータの読み出し、書き込みが可能となる。
【００１３】
また、本発明の一態様として、上記の携帯通信装置であって、前記外部インターフェース手段は、接続される前記外部装置と前記無線通信手段との間の通信を行う第１のインターフェース手段と、前記外部装置と前記非接触通信データ読み書き手段との間の通信を行う第２のインターフェース手段とを備え、前記第１のインターフェース手段及び前記無線通信手段を介して前記外部装置と前記無線ネットワークとの間でデータの送受信を行うと同時に、前記第２のインターフェース手段及び前記非接触通信データ読み書き手段を介して前記外部装置と前記外部の非接触通信データ記憶手段との間でデータの送受信を行うものも含まれる。
【００１４】
上記構成により、携帯通信装置の外部インターフェース手段に接続された外部装置から無線通信手段を介して無線ネットワークに接続された端末やネットワーク上のコンテンツと通信を行うと同時に、この外部装置から携帯通信装置の非接触通信データ読み書き手段を介して外部の非接触ＩＣカード等の非接触通信データ記憶手段に対してデータの読み出し、書き込みが可能となる。
【発明の効果】
【００１５】
本発明によれば、装置内に搭載した非接触通信データ読み書き手段を介して外部に接続したパーソナルコンピュータ等の端末装置と非接触ＩＣカード等の記憶媒体との間でデータの送受信ができ、携帯電話向けのコンテンツとその他のパーソナルコンピュータ向けのコンテンツ等の多様なコンテンツで提供される非接触ＩＣカード使用サービスを容易に利用することが可能な携帯通信装置を提供できる効果がある。
【発明を実施するための最良の形態】
【００１６】
本実施形態では、携帯通信装置の一例として、非接触ＩＣカード等の記憶媒体との間で近接型または近距離型の非接触通信を行って情報を読み書きする非接触通信データ読み書き手段として、決済処理等を行うための価値情報や登録情報等を非接触ＩＣカードに対して読み書きする非接触ＩＣカードリーダ／ライタの機能を搭載した携帯電話装置の構成例を示す。
【００１７】
（第１実施形態）
図１は、本発明の第１実施形態に係る携帯電話装置を利用した非接触ＩＣカードシステムの構成を示すブロック図である。
【００１８】
この第１実施形態では、携帯電話装置１０と、携帯電話装置１０に搭載された非接触ＩＣカードリーダ／ライタ部と非接触通信を行う非接触ＩＣカード２９と、携帯電話装置１０と無線通信を行う基地局を含む移動体通信システムの無線ネットワーク３０と、携帯電話装置１０と外部インターフェースを介して接続されるパーソナルコンピュータ（ＰＣ）３１とを備えている。非接触ＩＣカード２９は、非接触通信用のアンテナ及びメモリ等を備えて構成され、非接触通信によりデータの送受信行い、データを記憶する非接触通信データ記憶手段の機能を有する。
【００１９】
携帯電話装置１０は、制御部１１、無線部１５、表示部１６、スピーカ１７、レシーバ１８、マイク１９、外部インターフェース部２０、ＲＯＭ２１、ＲＡＭ２２、操作キー部２３、アンテナ２４、非接触ＩＣカードリーダ／ライタ部２５を有して構成される。
【００２０】
無線部１５は、無線通信手段の一例に相当し、アンテナ２４を介して無線ネットワーク３０との間で無線通話やデータ通信に関する無線通信を行う。制御部１１は、制御手段の一例に相当し、携帯電話装置１０の各部と接続されており、ベースバンド部１２、ＣＰＵ１３、Ｉ／Ｏ部１４を有して構成される。ＣＰＵ１３は携帯電話装置１０全体の制御処理を行う。ベースバンド部１２はアンテナ２４及び無線部１５を介して無線ネットワーク３０から受信したデータの復調と、無線部１５及びアンテナ２４を介して無線ネットワーク３０に送信するためのデータの変調を行う。Ｉ／Ｏ部１４は装置各部とのデータの入出力制御を行う。
【００２１】
非接触ＩＣカードリーダ／ライタ部２５は、非接触通信データ読み書き手段の一例に相当し、制御部２６、送受信部２７、非接触通信用アンテナ２８を有して構成される。この非接触ＩＣカードリーダ／ライタ部２５は、送受信部２７及び非接触通信用アンテナ２８を介して近傍に配置した外部の非接触ＩＣカード２９との間で非接触通信を行い、非接触ＩＣカード２９に対して電子バリュー等のデータの読み出し／書き込み（リード／ライト）、カード情報等の読み出し（リード）などを行う。ここで、制御部２６は、非接触ＩＣカードリーダ／ライタ部２５内の各部の制御処理、携帯電話装置１０の制御部１１との間でデータやコマンドのやり取りを行う。
【００２２】
外部インターフェース部２０は、外部インターフェース手段の一例に相当し、パーソナルコンピュータ３１等の外部装置を接続可能にしている。この外部インターフェース部２０は、接続されたパーソナルコンピュータ３１との間で、データやコマンドの送受信を行うためのインターフェースである。
【００２３】
マイク１９は入力された使用者の音声を音声信号に変換するものである。レシーバ１８は音声信号を音に変換して出力するものであり、通話時の相手の音声等を出力する。スピーカ１７はレシーバ１８と同様に音声信号を音に変換して出力するものであり、着信音や通話相手の音声等を出力する。操作キー部２３は、複数の入力キーを備えて構成され、数字やアルファベット等を入力したり、各機能等の操作指示入力を行うためのものである。表示装置１７は液晶表示装置（ＬＣＤ）等から構成され、操作キー部２３から入力されたデータや当該装置における動作中の機能の状態等を表示するものである。
【００２４】
次に、上記のように構成された携帯電話装置１０を含む第１実施形態の非接触ＩＣカードシステムについて、図２を用いてその動作の概要を説明する。
【００２５】
携帯電話装置１０は、無線部１５を介して無線ネットワーク３０に接続し、さらに携帯電話ネットワーク３３を介してサーバにアクセスして、携帯電話用コンテンツ３４を取得して利用する。この無線部１５を介して無線ネットワーク３０に接続している状態では、携帯電話装置１０内の非接触ＩＣカードリーダ／ライタ部２５を介して、非接触ＩＣカード２９と携帯電話用コンテンツ３４を提供する携帯電話ネットワーク３３上のサーバとの間でデータの送受信を行うことができる。
【００２６】
また、外部インターフェース部２０に接続したパーソナルコンピュータ３１は、インターネット３２を介してサーバにアクセスして、一般用コンテンツ３５を取得して利用する。この場合、パーソナルコンピュータ３１より、外部インターフェース部２０を介して制御部１１に非接触ＩＣカード２９へのアクセス要求コマンドを送信する。制御部１１は、アクセス要求コマンドを受信すると、非接触ＩＣカードリーダ／ライタ部２５を起動して非接触ＩＣカード２９と通信を行い、非接触ＩＣカード２９をリード／ライトが可能な状態にする。そして、例えば、一般用コンテンツ３５を提供するインターネット３２上のサーバからの要求に応じて、非接触ＩＣカードリーダ／ライタ部２５より非接触ＩＣカード２９に対してデータの読み出しや書き込みを行う。
【００２７】
これにより、新たに非接触ＩＣカードリーダ／ライタを用意してパーソナルコンピュータ３１に接続したりする必要がなく、携帯電話装置１０を用いて、パーソナルコンピュータ３１と非接触ＩＣカード２９との間でデータの送受信を行うことができる。また、パーソナルコンピュータ３１より無線ネットワーク３０に接続して携帯電話用コンテンツ３４にアクセスすることができる。
【００２８】
次に、図３を用いて、第１実施形態における携帯電話装置１０を介してパーソナルコンピュータ３１と非接触ＩＣカード２９との間でデータの送受信を行う場合の動作手順について説明する。
【００２９】
パーソナルコンピュータ３１は、インターネット３２を介して一般用コンテンツ３５にアクセスし、データ通信を行う（ステップ３０１，３０２）。また、パーソナルコンピュータ３１は、外部インターフェース部２０を介して携帯電話装置１０の制御部１１に非接触ＩＣカード２９へのアクセス要求コマンドを送信する（ステップ３０３）。
【００３０】
携帯電話装置１０の制御部１１は、パーソナルコンピュータ３１からの非接触ＩＣカード２９へのアクセス要求コマンドを受信すると（ステップ３０４）、非接触ＩＣカードリーダ／ライタ部２５を起動する（ステップ３０５）。これにより、非接触ＩＣカードリーダ／ライタ部２５が動作して非接触ＩＣカード２９と通信を行い（ステップ３０６）、非接触ＩＣカード２９がリード／ライトが可能な状態になる。
【００３１】
その後、制御部１１は、外部インターフェース部２０を介して非接触ＩＣカード２９がリード／ライト可能になったことをパーソナルコンピュータ３１に通知する（ステップ３０７）。パーソナルコンピュータ３１は、非接触ＩＣカード２９のリード／ライトが可能になった通知を受信すると（ステップ３０８）、一般用コンテンツ３５からの要求に応じて非接触ＩＣカードリーダ／ライタ部２５に対してデータのリードまたはライトの指示を行う（ステップ３０９）。
【００３２】
一方、非接触ＩＣカードリーダ／ライタ部２５は、データのリードまたはライトの指示を受信すると（ステップ３１０）、受信した指示に従って非接触ＩＣカード２９に対してデータのリードまたはライトを行う（ステップ３１１）。非接触ＩＣカード２９へのリードまたはライトが終了すると、非接触ＩＣカードリーダ／ライタ部２５はパーソナルコンピュータ３１に対してリードしたデータまたはライトした結果を送信し（ステップ３１２）、動作を終了する（ステップ３１３）。
【００３３】
パーソナルコンピュータ３１は、リードまたはライトの結果を受信し（ステップ３１４）、インターネット３２を介して一般用コンテンツ３５にこのリードまたはライトの結果を通知する（ステップ３１５）。そして、一般用コンテンツ３５においてリードまたはライトの結果を受信し（ステップ３１６）、処理結果が正常である場合はこの非接触ＩＣカード２９に対する読み書き処理を終了する。
【００３４】
ここで、非接触ＩＣカード２９に対してライトするデータの例としては、電子マネーにおいて外部からバリュー（価値情報）を追加する場合がある。また、リードするデータの例としては、クレジットカード番号や電子マネーの残高などを読み出す場合がある。また、リード及びライトするデータの例としては、利用履歴等の読み出し、書き込みを行う場合がある。
【００３５】
このように、第１実施形態の構成及び手順によれば、携帯電話装置を用いて、非接触ＩＣカードリーダ／ライタ部及び無線部を介して非接触ＩＣカードと無線ネットワークとの間でデータの送受信を行うのに加えて、非接触ＩＣカードリーダ／ライタ部及び外部インターフェース部を介して非接触ＩＣカードとパーソナルコンピュータとの間でデータの送受信を行うことができる。すなわち、携帯電話装置を非接触ＩＣカードリーダ／ライタとして利用して、パーソナルコンピュータから非接触ＩＣカードに対して課金情報等のデータの読み書きを行うことが可能となる。これにより、非接触ＩＣカードを使用するサービスを利用する場合に、外部に設ける非接触ＩＣカードリーダ／ライタなどの追加の構成を必要とせずに、より多様なコンテンツにより提供されるサービスを利用することができる。
【００３６】
例えば、携帯電話装置の外部インターフェース部にパーソナルコンピュータを接続することで、パーソナルコンピュータによって携帯電話装置を介して携帯電話向けコンテンツにアクセス可能となり、非接触ＩＣカードによる決済処理等を行うことができる。さらに、携帯電話装置に搭載した非接触ＩＣカードリーダ／ライタを介して非接触ＩＣカードとパーソナルコンピュータとの間でデータの送受信を行い、パーソナルコンピュータでインターネットを介してアクセスした一般用コンテンツに関しても非接触ＩＣカードによる決済処理等を行うことができる。このため、携帯電話装置、非接触ＩＣカード、及びパーソナルコンピュータを用いて、携帯電話用のコンテンツとパーソナルコンピュータ向けの一般用コンテンツの双方で提供される多様なオンラインショッピング等のサービスを容易に利用することができるようになる。
【００３７】
（第２実施形態）
図４は、本発明の第２実施形態に係る携帯電話装置を利用した非接触ＩＣカードシステムの構成を示すブロック図である。
【００３８】
第２実施形態は、携帯電話装置４０の外部インターフェース部４２に２つのインターフェースを設け、パーソナルコンピュータ３１より携帯電話装置４０を介して無線ネットワーク３０とデータ通信を行うと同時に、非接触ＩＣカード２９との間でもデータ通信を可能にした例である。
【００３９】
第２実施形態の携帯電話装置４０は、外部インターフェース部４２に第１のインターフェース４３と、第２のインターフェース４４とを備えている。また、第１実施形態の制御部１１とは機能が若干異なる制御部４１を備えている。なお、図１に示した第１実施形態と同様の構成要素には同一の符号を付している。
【００４０】
第１のインターフェース４３は、特許請求の範囲に記載の第１のインターフェース手段の機能を有し、外部インターフェース部４２に接続されたパーソナルコンピュータ３１と無線ネットワーク３０との間で、無線部１５及びアンテナ２４を介してデータのやり取りを行う。第２のインターフェース４４は、特許請求の範囲に記載の第２のインターフェース手段の機能を有し、パーソナルコンピュータ３１と制御部４１との間でコマンドのやり取りを行うとともに、パーソナルコンピュータ３１と非接触ＩＣカード２９との間で非接触ＩＣカードリーダ／ライタ部２５を介してコマンド及びデータのやり取りを行う。制御部４１は、第１実施形態の制御部１１で行う制御の他に、第１のインターフェース４３及び第２のインターフェース４４における通信等の動作制御を行う。
【００４１】
このように構成された携帯電話装置４０を含む第２実施形態の非接触ＩＣカードシステムについて、図５を用いてその動作の概要を説明する。
【００４２】
外部インターフェース部４２に接続したパーソナルコンピュータ３１は、第２のインターフェース４４を介して制御部４１に対してデータ通信要求コマンドを送信する。制御部４１は、データ通信要求コマンドを受信すると、無線部１５及びアンテナ２４を介して無線ネットワーク３０とデータ通信を行うための設定データや認証データ等のやり取りを行い、データ通信ができる状態にする。そして、パーソナルコンピュータ３１は、第１のインターフェース４３を介して無線ネットワーク３０とデータ通信を行う。このとき、パーソナルコンピュータ３１はさらにインターネット３２を介して一般用コンテンツ３５にアクセスし、データ通信を行う。
【００４３】
また、パーソナルコンピュータ３１は、携帯電話装置４０を介して無線ネットワーク３０に接続している状態で、第２のインターフェース４４を介して制御部４１に非接触ＩＣカード２９へのアクセス要求コマンドを送信する。制御部４１は、アクセス要求コマンドを受信すると、非接触ＩＣカードリーダ／ライタ部２５を起動して非接触ＩＣカード２９と通信を行い、非接触ＩＣカード２９をリード／ライトが可能な状態にする。そして、例えば、一般用コンテンツ３５を提供するインターネット３２上のサーバからの要求に応じて、非接触ＩＣカードリーダ／ライタ部２５より非接触ＩＣカード２９に対してデータの読み出しや書き込みを行う。
【００４４】
これにより、パーソナルコンピュータ３１は、携帯電話装置４０の無線部１５を介して無線ネットワーク３０に接続してデータ通信を行うと同時に、携帯電話装置４０に搭載された非接触ＩＣカードリーダ／ライタ部２５を介して非接触ＩＣカード２９とデータの送受信を行うことができる。
【００４５】
次に、図６を用いて、第２実施形態における携帯電話装置４０を介してパーソナルコンピュータ３１と非接触ＩＣカード２９との間でデータの送受信を行う場合の動作手順について説明する。
【００４６】
パーソナルコンピュータ３１は、第２のインターフェース４４を介して携帯電話装置４０の制御部４１に対してデータ通信要求コマンドを送信する（ステップ６０１）。携帯電話装置４０の制御部４１は、第２のインターフェース４４からのデータ通信要求コマンドを受信すると（ステップ６０２）、無線部１５及びアンテナ２４を介して無線ネットワーク３０とデータ通信を行うための設定データや認証データ等のやりとりを行い、データ通信が可能な状態にする（ステップ６０３）。これにより、無線ネットワーク３０はパーソナルコンピュータ３１とデータ通信可能な状態となる（ステップ６０４）。そして、制御部４１は、無線ネットワーク３０とデータ通信が可能な状態になったことを第２のインターフェース４４を介してパーソナルコンピュータ３１に通知する（ステップ６０５）。
【００４７】
次いで、パーソナルコンピュータ３１は、無線ネットワーク３０とデータ通信が可能な状態になった通知を受信すると（ステップ６０６）、第１のインターフェース４３を介して無線ネットワーク３０との間でデータ通信を行う（ステップ６０７，６０８）。このとき、パーソナルコンピュータ３１はさらに無線ネットワーク３０に接続されたインターネット３２を介して一般用コンテンツ３５にアクセスし、データ通信を行う。
【００４８】
また、パーソナルコンピュータ３１は、上記のように第１のインターフェース４３を介して無線ネットワーク３０とデータ通信を行うと同時に、第２のインターフェース４４を介して制御部４１に非接触ＩＣカード２９へのアクセス要求コマンドを送信する（ステップ６０９）。
【００４９】
携帯電話装置４０の制御部４１は、パーソナルコンピュータ３１からの非接触ＩＣカード２９へのアクセス要求コマンドを受信すると（ステップ６１０）、非接触ＩＣカードリーダ／ライタ部２５を起動する（ステップ６１１）。これにより、非接触ＩＣカードリーダ／ライタ部２５が動作して非接触ＩＣカード２９と通信を行い（ステップ６１２）、非接触ＩＣカード２９がリード／ライトが可能な状態になる。
【００５０】
その後、制御部４１は、第２のインターフェース４４を介して非接触ＩＣカード２９がリード／ライト可能になったことをパーソナルコンピュータ３１に通知する（ステップ６１３）。パーソナルコンピュータ３１は、非接触ＩＣカード２９のリード／ライトが可能になった通知を受信すると（ステップ６１４）、一般用コンテンツ３５からの要求に応じて非接触ＩＣカードリーダ／ライタ部２５に対してデータのリードまたはライトの指示を行う（ステップ６１５）。
【００５１】
一方、非接触ＩＣカードリーダ／ライタ部２５は、データのリードまたはライトの指示を受信すると（ステップ６１６）、受信した指示に従って非接触ＩＣカード２９に対してデータのリードまたはライトを行う（ステップ６１７）。非接触ＩＣカード２９へのリードまたはライトが終了すると、非接触ＩＣカードリーダ／ライタ部２５はパーソナルコンピュータ３１に対してリードしたデータまたはライトした結果を送信し（ステップ６１８）、動作を終了する（ステップ６１９）。
【００５２】
パーソナルコンピュータ３１は、リードまたはライトの結果を受信し（ステップ６２０）、無線ネットワーク３０、インターネット３２を介して一般用コンテンツ３５にこのリードまたはライトの結果を通知する（ステップ６２１）。そして、一般用コンテンツ３５においてリードまたはライトの結果を受信し（ステップ６２２）、処理結果が正常である場合はこの非接触ＩＣカード２９に対する読み書き処理を終了する。
【００５３】
このように、第２実施形態では、第１のインターフェース及び第２のインターフェースを設けることにより、携帯電話装置に接続されたパーソナルコンピュータから携帯電話装置の無線部を介して無線ネットワークに接続してデータ通信を行うと同時に、携帯電話装置に搭載された非接触ＩＣカードリーダ／ライタ部を介して非接触ＩＣカードとパーソナルコンピュータとの間でデータの送受信を行うことができる。これにより、パーソナルコンピュータによって携帯電話装置及び無線ネットワークを介して目的のコンテンツにアクセス可能となり、非接触ＩＣカードによる決済処理等を行うことができる。したがって、例えば、外出先や移動中などでも、外部の非接触ＩＣカードリーダ／ライタを必要とせず、パーソナルコンピュータ及び携帯電話装置を用いて、非接触ＩＣカードを使用するオンラインショッピング等のサービスを容易に利用することができる。この場合、無線ネットワークとのデータ通信と非接触ＩＣカードに対するリード／ライトを同時に行うことで、より高速に決済処理等を実行可能である。
【産業上の利用可能性】
【００５４】
本発明は、装置内に搭載した非接触通信データ読み書き手段を介して外部に接続したパーソナルコンピュータ等の端末装置と非接触ＩＣカード等の記憶媒体との間でデータの送受信ができ、携帯電話向けのコンテンツとその他のパーソナルコンピュータ向けのコンテンツ等の多様なコンテンツで提供される非接触ＩＣカード使用サービスを容易に利用することが可能となる効果を有し、外部の非接触ＩＣカード等の記憶媒体との間で近接型または近距離型の非接触通信を行う非接触通信部を備えた携帯通信装置等に有用である。
【図面の簡単な説明】
【００５５】
【図１】本発明の第１実施形態に係る携帯電話装置を利用した非接触ＩＣカードシステムの構成を示すブロック図
【図２】第１実施形態における非接触ＩＣカードシステムの動作の概要を説明する図
【図３】第１実施形態における携帯電話装置を用いてパーソナルコンピュータと非接触ＩＣカードやネットワークとの間などでデータの送受信を行う場合の動作手順を示すフロー図
【図４】本発明の第２実施形態に係る携帯電話装置を利用した非接触ＩＣカードシステムの構成を示すブロック図
【図５】第２実施形態における非接触ＩＣカードシステムの動作の概要を説明する図
【図６】第２実施形態における携帯電話装置を用いてパーソナルコンピュータと非接触ＩＣカードやネットワークとの間などでデータの送受信を行う場合の動作手順を示すフロー図
【符号の説明】
【００５６】
１０、４０  携帯電話装置
１１、４１  制御部
１２  ベースバンド部
１３  ＣＰＵ
１４  Ｉ／Ｏ部
１５  無線部
１６  表示装置
１７  スピーカ
１８  レシーバ
１９  マイク
２０、４２  外部インターフェース部
２１  ＲＯＭ
２２  ＲＡＭ
２３  操作キー部
２４  アンテナ
２５  非接触ＩＣカードリーダ／ライタ部
２６  制御部
２７  送受信部
２８  非接触通信用アンテナ
２９  非接触ＩＣカード
３０  無線ネットワーク
３１  パーソナルコンピュータ
３２  インターネット
３３  携帯電話ネットワーク
３４  携帯電話用コンテンツ
３５  一般用コンテンツ
４３  第１のインターフェース
４４  第２のインターフェース
【図１】
2005086321.tif 000003
【図２】
2005086321.tif 000004
【図３】
2005086321.tif 000005
【図４】
2005086321.tif 000006
【図５】
2005086321.tif 000007
【図６】
2005086321.tif 000008